(57)【要約】      （修正有）【課題】スピーカ本体を収納した音響ケース内部での音響の反応が充分なスピーカ装置を提供する。【解決手段】スピーカ本体１０のコーン基部１１から先端縁部までを被覆するように、スピーカ本体の外周に前後開口のテーパー筒状の粘土素焼きのカバー体２０を設け、素焼きケース付きスピーカ１００とする。粘土素焼きのカバー体２０は、粘土で成形した器に釉をかけずに焼き固め形成する。【選択図】図２
2019216335.tif 000002
【特許請求の範囲】
【請求項１】
スピーカ本体のコーン基部から先端縁部までを被覆するようにスピーカ本体の外周に前後開口のテーパー筒状の粘土素焼きのカバー体を設けて構成した素焼きケース付きスピーカとしたことを特徴とするスピーカ装置。
【請求項２】
素焼きケース付きスピーカの粘土素焼きのカバー体は粘土で成形した器に釉をかけずに焼き固め形成したことを特徴とする請求項１に記載のスピーカ装置。
【請求項３】
テーパー筒状の粘土素焼きのカバー体を外周に有するスピーカ本体を収納した音響ケースは、陶器で製造した家庭用醤油甕で構成すると共に、支持筒台上に重ねて載置し、音響ケースの底面中央は支持筒台の内部空間に挿通した連通パイプを介して互いに連通状態とし、音響ケースの頂部中央には必要に応じて開閉自在とした低音流通孔を形成し、音響ケースの側壁には側方に向けた中高音用スピーカ本体を配設すると共に、支持筒台の内底部には上方に向けた低音用スピーカ本体を配設し、音響ケースを支持筒台に重ねて載置する際に陶器ケースの外底面と支持筒台の上端開口縁部との間に低音拡散用空間を形成したことを特徴とする請求項１又は請求項２に記載のスピーカ装置。
【請求項４】
テーパー筒状の粘土素焼きのカバー体を外周に有するスピーカ本体を収納した音響ケースは、円筒状に形成した円筒音響ケースとし、その中央周壁には音響拡散用の音響孔を形成すると共に、円筒音響ケースの両端面には素焼きケース付きスピーカを配設したことを特徴とする請求項１又は請求項２に記載のスピーカ装置。
【請求項５】
円筒音響ケース内において音響孔の左右側方を音響流通孔を複数穿設した多孔壁で仕切ると共に、多孔壁に重複して調整音響流通孔を穿設した多孔調整プレートを回転自在に当接し、多孔壁の音響流通孔と多孔調整プレートの調整音響流通孔との符合調整を行うことにより音響流通量を調整可能に構成したことを特徴とする請求項１又は請求項２又は請求項４のいずれか一項に記載のスピーカ装置。
【請求項６】
多孔調整プレートは円筒音響ケースの外部からギヤ噛合機構を介して操作可能に構成したことを特徴とする請求項１又は請求項２又は請求項４又は請求項５のいずれか一項に記載のスピーカ装置。
【発明の詳細な説明】
【技術分野】
【０００１】
本発明は、スピーカ本体のコーン基部から先端周縁部に至るスピーカ本体外周をテーパー状の陶磁器で被覆したスピーカ装置に関する。
【背景技術】
【０００２】
従来、オーディオ用スピーカ本体として音質にこだわったものが開発されている。例えば、スピーカ本体は、ボックス形状のキャビネットの前面開口部に収納され、このキャビネットを石等の材料にて構成することにより固有音による共振を低減するものがあった。
【０００３】
従来、このようにスピーカ本体より生起される音質を良好とするために、スピーカ自体、またはスピーカ本体を収納した音響ケース等に様々な創意工夫が成されている。
【０００４】
例えば、特許文献１には、陶磁器製の壺の上端開口部をスピーカユニットにて塞ぎ、該ユニットから生起した音響がユニットの上方に設けた反射調整板により所定の方向に反射できるように構成すると共に、壺の内部空間に多孔質のウレタンや綿などの音響調整手段を設ける構成によりユニットから放射される音質を制御できる構成について開示しております。
【０００５】
また、特許文献２には、陶磁製のスピーカユニットにおいて、陶磁製外装部を共鳴体として利用するためにスピーカと陶磁体とを両面粘着テープで固定する構成とすることで音響の生起部と陶磁部との位置関係を固定し音質を向上する構成について開示しております。
【先行技術文献】
【特許文献】
【０００６】
【特許文献１】特開平６−３１９１８７号公報
【特許文献２】実用新案登録第３１４８１９６号公報
【発明の概要】
【発明が解決しようとする課題】
【０００７】
しかし、いずれもスピーカ本体を収納した音響ケース内部での音響の反応が充分ではなく、スピーカ自体の容量を大きくしたり、高機能音響スピーカを使用したりするが、聴衆者の満足を得るものではなかった。その原因としてはスピーカからの発生音響を一旦音響空間に伝えてそこから音響増幅手段により音響室に音響を発生させる構成としていることによると思われる。
【０００８】
そこで、本発明ではスピーカ本体の音響発生部たるコーン部の可及的に近い空間外周を音響増幅と音質向上のためのテーパー筒状の粘土素焼きのカバー体で囲繞することにより、スピーカ本体から発生する音を良質なものとし、今までに経験したことのない音響を生成することができるスピーカ装置を提供せんとするものである。
【課題を解決するための手段】
【０００９】
本発明の態様の１つは、スピーカ本体のコーン基部から先端縁部までを被覆するようにスピーカ本体の外周に前後開口のテーパー筒状の粘土素焼きのカバー体を設けて構成した素焼きケース付きスピーカとしたことを特徴とするスピーカ装置に関する。また、素焼きケース付きスピーカの粘土素焼きのカバー体は粘土で成形した器に釉をかけずに焼き固め形成したことを特徴とする。
【００１０】
また、本発明の選択的な態様の１つにおいて、テーパー筒状の粘土素焼きのカバー体を外周に有するスピーカ本体を収納した音響ケースは、陶器で製造した家庭用醤油甕で構成すると共に、支持筒台上に重ねて載置し、音響ケースの底面中央は支持筒台の内部空間に挿通した連通パイプを介して互いに連通状態とし、音響ケースの頂部中央には必要に応じて開閉自在とした低音流通孔を形成し、音響ケースの側壁には側方に向けた中高音用スピーカ本体を配設すると共に、支持筒台の内底部には上方に向けた低音用スピーカ本体を配設し、音響ケースを支持筒台に重ねて載置する際に陶器ケースの外底面と支持筒台の上端開口縁部との間に低音拡散用空間を形成したことを特徴とするスピーカ装置に特徴を有する。
【００１１】
また、本発明の選択的な態様の１つにおいて、テーパー筒状の粘土素焼きのカバー体を外周に有するスピーカ本体を収納した音響ケースは円筒状に形成した円筒音響ケースとし、その中央周壁には音響拡散用の音響孔を形成すると共に、円筒音響ケースの両端面には素焼きケース付きスピーカを配設したことに特徴を有する。
【００１２】
また、本発明の選択的な態様の１つにおいて、円筒音響ケース内において音響孔の左右側方を音響流通孔を複数穿設した多孔壁で仕切ると共に、多孔壁に重複して調整音響流通孔を穿設した多孔調整プレートを回転自在に当接し、多孔壁の音響流通孔と多孔調整プレートの調整音響流通孔との符合調整を行うことにより音響流通量を調整可能に構成したことに特徴を有する。
【００１３】
また、本発明の選択的な態様の１つにおいて、多孔調整プレートは円筒音響ケースの外部からギヤ噛合機構を介して操作可能に構成したことに特徴を有する。
【発明の効果】
【００１４】
本発明に係るスピーカによれば、次のような効果がある。すなわち、このような構成により、高中低音の音響通路が次のように複雑に絡みながら臨場感のある音響をつくることができる。低音は支持筒台の低音用スピーカ本体で発生して垂直上方の連通パイプを介して陶器ケースの頂部中央の低音流通孔から外に拡散されると同時に、支持筒台との間の低音拡散用空間からも外に拡散される。主体的には低音は陶器ケースの上方に向かって発せられるために側方に向かった高中音と干渉しない音響通路を形成して低音と高中音が明確に区分されて臨場感のある聴感を成形しやすい。また、低音の一部は陶器ケースと支持筒台の間の低音拡散用空間からも出るがこの音響通路は補助的な低音通路を形成して高中音に混じりにくく側方に響く中高音のシャープな音を妨害しない。
【００１５】
更には、低音は支持筒台や陶器ケースの内部を通過して外に流通されるため、特に陶器ケースの独特の響きを伴ってより響く低音の状態で外に出すことができる効果がある。また、コーン基部の振動から発せられる音が前後開口のテーパー筒状の粘土素焼きのカバー体の微細孔で吸収されながら同時に柔らかい反響音を形成して鋭く尖ったような音響生成を防止することができる。
【００１６】
更には、粘土素焼きのカバー体の土の材料である特殊な材質により低音用スピーカ本体のコーン基部で振動振幅した低音が粘土素焼きのカバー体で柔らかく反響して音響ケース内に進入して中高音の柔らかい反響音と混じり臨場感のあるアンサンブル風の音質となる。同時に、支持筒台からは柔らかい低音が上方に発散されて低音の迫力を聴者に充分に感じさせることができる効果がある。
【図面の簡単な説明】
【００１７】
【図１】本発明の実施形態にかかるスピーカ装置を示す正面図である。
【図２】本発明の実施形態にかかるスピーカ装置の図１のＡ−Ａ断面図である。
【図３】本発明の実施形態にかかるスピーカ装置の支持筒台を示す平面図である。
【図４】本発明の他の実施形態にかかるスピーカ装置を示す斜視図である。
【図５】本発明の他の実施形態にかかるスピーカ装置を示す側面図である。
【図６】本発明の他の実施形態にかかるスピーカ装置を示す図５のＢ-Ｂ断面図である。
【図７】本発明の他の実施形態にかかるスピーカ装置を示す図６のＣ-Ｃ断面図である。
【図８】本発明の他の実施形態にかかるスピーカ装置の多孔調整プレートの回転状態を示す図６のＣ-Ｃ断面図である。
【発明を実施するための形態】
【００１８】
この発明の要旨は次のように構成されている。すなわち、本発明は、スピーカ本体のコーン基部から先端縁部までを被覆するようにスピーカ本体の外周に前後開口のテーパー筒状の粘土素焼きのカバー体を設けて構成した素焼きケース付きスピーカとしたことを特徴とするスピーカ装置に関する。
【００１９】
また、素焼きケース付きスピーカの粘土素焼きのカバー体は粘土で成形した器に釉をかけずに焼き固め形成したことを特徴とする。
【００２０】
また、テーパー筒状の粘土素焼きのカバー体を外周に有するスピーカ本体を収納した音響ケースは、陶器で製造した家庭用醤油甕で構成すると共に、支持筒台上に重ねて載置し、音響ケースの底面中央は支持筒台の内部空間に挿通した連通パイプを介して互いに連通状態とし、音響ケースの頂部中央には必要に応じて開閉自在とした低音流通孔を形成し、音響ケースの側壁には側方に向けた中高音用スピーカ本体を配設すると共に、支持筒台の内底部には上方に向けた低音用スピーカ本体を配設し、音響ケースを支持筒台に重ねて載置する際に陶器ケースの外底面と支持筒台の上端開口縁部との間に低音拡散用空間を形成したことを特徴とするスピーカ装置に特徴を有する。
【００２１】
また、テーパー筒状の粘土素焼きのカバー体を外周に有するスピーカ本体を収納した音響ケースは円筒状に形成した円筒音響ケースとし、その中央周壁には音響拡散用の音響孔を形成すると共に、円筒音響ケースの両端面には素焼きケース付きスピーカを配設したことに特徴を有する。
【００２２】
また、円筒音響ケース内において音響孔の左右側方を音響流通孔を複数穿設した多孔壁で仕切ると共に、多孔壁に重複して調整音響流通孔を穿設した多孔調整プレートを回転自在に当接し、多孔壁の音響流通孔と多孔調整プレートの調整音響流通孔との符合調整を行うことにより音響流通量を調整可能に構成したことに特徴を有する。
【００２３】
また、多孔調整プレートは円筒音響ケースの外部からギヤ噛合機構を介して操作可能に構成したことに特徴を有する。
【００２４】
以下、図面に基づき本発明の実施例を詳細に説明する。
【００２５】
図１は本発明における素焼きケース付きスピーカ１００を示し、図２に示すように、スピーカ本体１０のコーン１１の基部１２から先端縁部１３までを被覆するようにスピーカ本体１０の外周に前後開口のテーパー筒状の粘土素焼きのカバー体２０を設けて構成している。素焼きケース付きスピーカ１００の粘土素焼きのカバー体２０は粘土で成形した器に釉をかけずに焼き固め形成している。
【００２６】
また、テーパー筒状の粘土素焼きのカバー体２０を外周に有するスピーカ本体１０は音響ケース３０内に収納されている。
【００２７】
音響ケース３０は陶器で製造した家庭用の醤油甕で構成しており、表面に釉を施した一定厚みに焼成したものであり、従来から家庭で醸造した醤油貯留用甕として使用されている。
【００２８】
音響ケース３０として陶器で製造した家庭用醤油甕を使用することにより、図１に示すように、外見的にも陶器独自の重量感と美術工芸品的な意匠美感を醸し出すことができ、調度品として活用することが出来る効果がある。
【００２９】
この家庭用醤油甕を音響ケース３０として利用すると共に、この家庭用醤油甕を支持筒台４０上に重ねて載置する。図中、４２はその間に安定載置のために介在させた木質部材であり、音響ケース３０の外底面３４を支持できるように下方細絞り状に構成した音響ケース３０の支持部材４２である。
かかる支持筒台４０は建設材料として使用されている筒ケースであり、炭素繊維素材や不織素材で形成された甕と略同径のパイプで構成されている。
【００３０】
音響ケース３０の外底面３４の略中央には、図２に示すように、支持筒台４０の内部空間に挿通した連通パイプ３１を介して互いに連通状態としている。
【００３１】
音響ケース３０の頂部中央には必要に応じて開閉自在とした低音流通孔３２を形成しており閉塞する場合は低音流通孔３２を栓体３３でふさぐようにしている。
【００３２】
音響ケース３０の側壁には、図２に示すように、側方に向けた中高音用のスピーカ本体１０として素焼きケース付きスピーカ１００を配設すると共に、支持筒台４０の内底部４１には上方に向けた低音用のスピーカ本体５０として素焼きケース付きスピーカ２００を配設している。
【００３３】
しかも、図２に示すように、音響ケース３０を支持筒台４０に重ねて載置する際には音響ケース３０の外底面３４と支持筒台４０の上端開口縁部４３との間に低音拡散用空間４４を形成し低音用のスピーカ本体５０から生起される音を該空間４４から屋内に送ることができるように構成している。
【００３４】
また、他の実施例として、図４に示すように、テーパー筒状の粘土素焼きのカバー体２０を外周に有する中高音用のスピーカ本体１０を収納した音響ケースは円筒状に形成した円筒音響ケース６０とし、その中央周壁には音響拡散用の音響孔６１を形成すると共に、円筒音響ケース６０の両端面にはテーパー筒状の粘土素焼きのカバー体２０を備えた素焼きケース付きスピーカ３００，３００を配設している。
【００３５】
円筒音響ケース６０内においては、図６に示すように、音響孔６１の左右側方を音響流通孔６３を複数穿設した多孔壁６２で仕切ると共に、多孔壁６２に重複して調整音響流通孔６５を穿設した多孔調整プレート６４を回転自在に当接し、多孔壁６２の音響流通孔６３と多孔調整プレート６４の調整音響流通孔６５との符合調整を行うことにより音響流通量を調整可能に構成している。
【００３６】
また、多孔調整プレート６４は、図６に示すように、円筒音響ケース６０の外部からギヤ噛合機構７０を介して操作可能に構成している。
すなわち、円筒音響ケース６０内に長手方向に沿ってネジロッド８０を架設し、ネジロッド８０に設けた小径の作動ギヤ７１を円盤状の多孔調整プレート６４の外周に形成した従動ギヤ７２に噛合させて円筒音響ケース６０の外部からネジロッド８０を回転操作することにより作動ギヤ７１と従動ギヤ７２とのギヤ噛合を介して多孔調整プレート６４を回転調整して多孔壁６２の音響流通孔６３と多孔調整プレート６４の調整音響流通孔６５との符号調整を行い、円筒音響ケース６０の外周略中央の音響孔６１からの音響量を調整する。図７及び図８は、図６のＣ-Ｃの向きで円筒音響ケース６０を切断した場合の断面図を示しており、多孔調整プレート６４をギヤ噛合機構７０により音響流通孔６３と調整音響流通孔６５との符号調整を示している。
【００３７】
すなわち、多孔壁６２の音響流通孔６３と多孔調整プレート６４の調整音響流通孔６５との符号調整により円筒音響ケース６０の両端部に設けた素焼きケース付きスピーカ３００，３００からの音響孔６１への音響伝達量を調整することができる。
【００３８】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【００３９】
１００，２００，３００  素焼きケース付きスピーカ
１０  スピーカ本体
１１  コーン基部
１２  先端縁部
２０  粘土素焼きのカバー体
３０  音響ケース
３１  連通パイプ
３２  低音流通孔
３３  栓体
３４  外底面
４０  支持筒台
４１  内底
４２  支持部材
４３  上端開口縁部
４４  低音拡散用空間
５０  スピーカ本体
６０  円筒音響ケース
６１  音響孔
６２  多孔壁
６３  音響流通孔
６４  多孔調整プレート
６５  調整音響流通孔
７０  ギヤ噛合機構
７１  作動ギヤ
７２  従動ギヤ
８０  ネジロッド
【図１】
2019216335.tif 000003
【図２】
2019216335.tif 000004
【図３】
2019216335.tif 000005
【図４】
2019216335.tif 000006
【図５】
2019216335.tif 000007
【図６】
2019216335.tif 000008
【図７】
2019216335.tif 000009
【図８】
2019216335.tif 000010
【手続補正書】
【提出日】平成30年6月29日(2018.6.29)
【手続補正１】
【補正対象書類名】明細書
【補正対象項目名】００２９
【補正方法】変更
【補正の内容】
【００２９】
この家庭用醤油甕を音響ケース３０として利用すると共に、この家庭用醤油甕を支持筒台４０上に重ねて載置する。図中、４２はその間に安定載置のために介在させた木質部材であり、音響ケース３０の外底面３４を支持できるように下方細絞り状に構成した音響ケース３０の支持部材４２である。
かかる支持筒台４０は粘土素焼き（例えば、ポットテラコッタ）が素材として用いられ、甕と略同径のパイプ状に構成されている。
【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
陶器で製造した甕である中空状の音響ケースの側壁に、テーパー筒状の粘土素焼きのカバー体を外周に設けた中高音用スピーカ本体を側方に向けて配設すると共に、
音響ケースは支持筒台上に載置し音響ケースの底面中央は支持筒台の内部空間に挿通した連通パイプを介して互いに連通状態とし、
支持筒台の内底部には上方に向けて低音用スピーカ本体を配設し、
音響ケースの外底面と支持筒台の上端開口縁部との間には低音拡散用空間を形成したことを特徴とするスピーカ装置。
【手続補正２】
【補正対象書類名】明細書
【補正対象項目名】０００９
【補正方法】変更
【補正の内容】
【０００９】
本発明は、陶器で製造した甕である中空状の音響ケースの側壁に、テーパー筒状の粘土素焼きのカバー体を外周に設けた中高音用スピーカ本体を側方に向けて配設すると共に、音響ケースは支持筒台上に載置し音響ケースの底面中央は支持筒台の内部空間に挿通した連通パイプを介して互いに連通状態とし、支持筒台の内底部には上方に向けて低音用スピーカ本体を配設し、音響ケースの外底面と支持筒台の上端開口縁部との間には低音拡散用空間を形成したことに特徴を有する。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００２９
【補正方法】変更
【補正の内容】
【００２９】
この家庭用醤油甕を音響ケース３０として利用すると共に、この家庭用醤油甕を支持筒台４０上に重ねて載置する。図中、４２はその間に安定載置のために介在させた木質部材であり、音響ケース３０の外底面３４を支持できるように下方細絞り状に構成した音響ケース３０の支持部材４２である。
かかる支持筒台４０は建設材料として使用されている筒ケースであり、炭素繊維素材や不織素材で形成された甕と略同径のパイプで構成されている。